(57)【要約】【課題】    節炭器出口酸素濃度を設定値に保持することのできるボイラ制御装置を提供する。【解決手段】  ボイラに燃焼用空気を供給する押し込み通風機５２、前記燃焼用空気の流量を調整するベーン５４、及び前記燃焼用空気の流量を検出する空気流量検出器５５をそれぞれ複数備えた通風装置と、交流電源電圧を所定周波数の交流電圧に変換して前記押し込み通風機を駆動するモータに供給するインバータ６４、並びに前記インバータ出力及び呼応流電源交流電源電圧の何れか一方を前記モータに供給する遮断器６２，６３，６５，６６と、外部から供給される空気流量指令及び前記空気流量検出器の検出出力をもとに、前記ベーンの開度及びモータの回転数を調整して節炭器出口における酸素濃度を既定値に保持するボイラ自動制御装置５９を備え、前記ボイラ自動制御装置５９は、前記遮断器を切り替えてモータ駆動源を前記インバータ側から交流電源電圧側に切り替える操作に失敗したとき、前記それぞれのベーンの開度指令にバイアスを所定時間付加する。【選択図】  図１
2005106336.tif 000002
【特許請求の範囲】
【請求項１】
ボイラに燃焼用空気を供給する押し込み通風機、前記燃焼用空気の流量を調整するベーン、及び前記燃焼用空気の流量を検出する空気流量検出器をそれぞれ複数備えた通風装置と、
交流電源電圧を所定周波数の交流電圧に変換して前記押し込み通風機を駆動するモータに供給するインバータ、並びに前記インバータ出力及び前記交流電源電圧の何れか一方を前記モータに供給する遮断器と、
外部から供給される空気流量指令及び前記空気流量検出器の検出出力をもとに、前記ベーンの開度及びモータの回転数を調整して節炭器出口における酸素濃度を既定値に保持するボイラ自動制御装置を備え、
前記ボイラ自動制御装置は、前記遮断器を切り替えてモータ駆動源を前記インバータ側から交流電源電圧側に切り替える操作に失敗したとき、前記それぞれのベーンの開度指令にバイアスを所定時間付加することを特徴とするボイラ制御装置。
【請求項２】
請求項１記載のボイラ制御装置において、
前記ボイラ自動制御装置はボイラに供給する燃料を制御する燃料制御手段を備え、前記遮断器を切り替えてモータ駆動源を前記インバータ側から交流電源電圧側に切り替える操作に失敗したとき、前記燃料制御手段の燃料供給指令に減バイアスを所定時間付加することを特徴とするボイラ制御装置。
【請求項３】
ボイラに燃焼用空気を供給する押し込み通風機、前記燃焼用空気の流量を調整するベーン、及び前記燃焼用空気の流量を検出する空気流量検出器をそれぞれ複数備えた通風装置と、
交流電源電圧を所定周波数の交流電圧に変換して前記押し込み通風機を駆動するモータに供給するインバータ、並びに前記インバータ出力あるいは交流電源電圧の何れか一方を前記モータに供給する遮断器と、
ボイラ自動制御装置を備え、該ボイラ自動制御装置により、外部から供給される空気流量指令及び前記空気流量検出器の検出出力に応じて前記ベーンの開度及びモータの回転数を調整して節炭器出口における酸素濃度を既定値に保持するボイラ制御方法であって、
前記ボイラ自動制御装置は、前記遮断器を切り替えてモータ駆動源を前記インバータ側から交流電源電圧側に切り替える操作に失敗したとき、前記それぞれのベーンの開度指令にバイアスを所定時間付加することを特徴とするボイラ制御方法。
【請求項４】
請求項２記載のボイラ制御方法において、
前記ボイラ自動制御装置はボイラに供給する燃料を制御する燃料制御手段を備え、前記遮断器を切り替えてモータ入力を前記インバータ側から交流電源電圧側に切り替える操作に失敗したとき、前記燃料制御手段の燃料供給指令に減バイアスを所定時間付加することを特徴とするボイラ制御方法。
【発明の詳細な説明】
【技術分野】
【０００１】
本発明は、ボイラ制御装置及びボイラ制御方法にかかり、特に、節炭器出口における酸素濃度を設定値に保持することのできるボイラ制御装置及びボイラ制御方法に関する。
【背景技術】
【０００２】
例えば、特許文献１には、商用交流電源及びインバータ電源をそれぞれ備えた２系統の通風機を備え、前記インバータ電源が運転不能となった場合、電源をインバータ電源から商用電源に切り替えて通風機の運転を継続することのできるボイラ制御装置が示されている。また、前記切り替えに際して発生する通風機の駆動速度の低下に伴う通風量の減少を補償し、燃焼の安定性を保持するため、前記通風量を制限するダンパに開バイアス指令を供給することが示されている。
【特許文献１】特開２００２−２６７１０５号公報
【発明の開示】
【発明が解決しようとする課題】
【０００３】
上記従来の技術においては、２系統の通風機をそれぞれ駆動する電源のうち、例えば、一つの系統を構成するインバータ電源が故障した場合、この故障したインバータ電源を商用電源に切り替える。もし、インバータ電源を商用電源へ切り替える操作に際して、何らかの理由により、商用電源への切り替えに失敗した場合、残りの系統で運転可能な量までボイラ負荷を安全かつ速やかに低下させなければならない。すなわち、ランバック動作を行わなければならないことになる。
【０００４】
このランバック動作中には、ボイラに供給する空気量が不足し、あるいは燃料供給量が過剰となる可能性が高く、節炭器出口酸素濃度が低下する可能性が高くなる。
【０００５】
本発明は、これらの問題点に鑑みてなされたもので、節炭器出口酸素濃度を設定値に保持することのできるボイラ制御装置を提供する。
【課題を解決するための手段】
【０００６】
本発明は上記課題を解決するため、次のような手段を採用した。
【０００７】
ボイラに燃焼用空気を供給する押し込み通風機、前記燃焼用空気の流量を調整するベーン、及び前記燃焼用空気の流量を検出する空気流量検出器をそれぞれ複数備えた通風装置と、交流電源電圧を所定周波数の交流電圧に変換して前記押し込み通風機を駆動するモータに供給するインバータ、並びに前記インバータ出力及び前記交流電源電圧の何れか一方を前記モータに供給する遮断器と、外部から供給される空気流量指令及び前記空気流量検出器の検出出力をもとに、前記ベーンの開度及びモータの回転数を調整して節炭器出口における酸素濃度を既定値に保持するボイラ自動制御装置を備え、前記ボイラ自動制御装置は、前記遮断器を切り替えてモータ駆動源を前記インバータ側から交流電源電圧側に切り替える操作に失敗したとき、前記それぞれのベーンの開度指令にバイアスを所定時間付加する。
【発明の効果】
【０００８】
本発明は、以上の構成を備えるため、節炭器出口酸素濃度を設定値に保持することのできるボイラ制御装置を提供することができる。
【発明を実施するための最良の形態】
【０００９】
以下、最良の実施形態を添付図面を参照しながら説明する。図１は、ボイラ制御装置を説明する図である。図において、５１はボイラ、５２ａ，５２ｂはボイラ５１に燃焼用の空気を送風する押込通風機、５３ａ，５３ｂは押し込み通風機５２ａ，５２ｂを駆動する駆動用モータ、５４ａ，５４ｂは押し込み通風機が押し込む空気流量（通風量）を調整するための押し込み通風機５２ａ，５２ｂのベーンであり、押し込み通風機の出口近傍に設ける。５５ａ，５５ｂは押し込み通風機５２ａ，５２ｂが押し込む空気流量を検出する空気流量検出器である。
【００１０】
５６ａ，５６ｂはボイラ５１から燃焼ガスを誘引し、煙突６８から排気するための誘引通風機、５７ａ，５７ｂは誘引通風機５６ａ，５６ｂを駆動する駆動用モータ、５８ａ、５８ｂは誘引通風機が誘引する空気流量（通風量）を調整するためのダンパであり、誘引通風機に入口近傍に設ける。
【００１１】
５９はボイラ５１のプロセス量を総合的に制御するボイラ自動制御装置、６０はインバータ６４ａ，６４ｂの出力制御を行うインバータ制御装置である。６１は商用周波数の交流電源からなる主電源、６４ａ，６４ｂは駆動用のモータ５３ａ，５３ｂを駆動するインバータ、６２ａ，６２ｂ、６３ａ，６３ｂ、６５ａ，６５ｂ、及び６６ａ，６６ｂはそれぞれ遮断器であり、それぞれ駆動用モータ５３ａ駆動用の系統（（Ａ）系）と、駆動用モータ５３ｂ駆動用の系統（（Ｂ）系）を構成する。
【００１２】
ここで、駆動用モータ５３ａをインバータ６４ａで駆動する際には、遮断器６２ａ，６３ａ，６５ａを投入し、遮断器６６ａを遮断する。また、駆動用モータ５３ａをの主電源６１で駆動する際には、遮断器６３ａ，６５ａを遮断し、遮断器６２ａ，６６ａを投入する。同様に、駆動用モータ５３ｂをインバータ６４ｂで駆動する際には、遮断器６２ｂ，６３ｂ，６５ｂを投入し、遮断器６６ｂを遮断する。また、駆動用モータ５３ｂを主電源６１で駆動する際には、遮断器６３ｂ，６５ｂを遮断し、遮断器６２ｂ，６６ｂを投入する。
【００１３】
なお、例えば前記駆動用モータ５３ａ駆動用の系統（（Ａ）系）は、押し込み通風機を駆動する系統の外、誘引通風機を駆動するモータを駆動する系統等に適用することができる。
【００１４】
ボイラの運転に際しては、押し込み通風機駆動用のモータ５３ａ，５３ｂを駆動し、燃焼用の空気をボイラ５１に送風する。押し込み通風機５２ａ，５２ｂから送られた空気は、ボイラ５１内で燃焼し、燃焼ガスとなり誘引通風機５６ａ，５６ｂを介して吸引されて煙突６８を介して大気中に排出する。
【００１５】
ボイラ５１内の圧力（ボイラ圧）は、ボイラの保安上あるいは性能上の理由により規定値内に制御しなければならない。このボイラ圧の制御は誘引通風機５６ａ，５６ｂ近傍に取り付けたダンパ５８ａ，５８ｂの開度を調整することにより行う。また、押し込み通風機を流れる空気流量は、ボイラに供給する燃料流量とのバランス上、あるいはボイラ保安上あるいは性能上の理由により設定値内に制御しなければならない。押し込み通風機を流れる空気流量は、押し込み通風機５２ａ，５２ｂ近傍に取り付けたベーン５４ａ，５４ｂの開度、あるいは押し込み通風機５２ａ，５２ｂを駆動する駆動用モータ５３ａ，５３ｂの回転速度を調節することにより行う。
【００１６】
図２は、酸素濃度検出器の取付位置を説明する図である。図に示すように、ボイラ５１の節炭器５１１出口近傍に酸素濃度検出器１０１を配置する。これにより酸素濃度検出器１０１からは酸素濃度検出信号１０２をリアルタイムで得ることができる。酸素濃度検出信号１０２を参照することにより、ボイラに供給する燃料流量と空気流量のバランスの良否を判断することができる。
【００１７】
図１において、ボイラ自動制御装置５９は演算回路を備え、空気流量指令２４及び空気流量検出器５５ａ，５５ｂからの空気流量信号６７ａ，６７ｂをもとにベーン５４ａ，５４ｂに対する開度指令７１ａ，７１ｂを演算出力し、この出力値をもとにベーン開度を制御する。また、前記空気流量指令２４及び空気流量検出器５５ａ，５５ｂからの空気流量信号６７ａ，６７ｂをもとに押し込み通風機駆動用のモータの回転数指令６９ａ，６９ｂを演算し、演算結果をインバータ制御装置６０に出力する。なお、ボイラ自動制御装置５９は、上記の外に、例えば発電機出力や蒸気温度・圧力などの制御を行う。
【００１８】
インバータ制御装置６０は、ボイラ自動制御装置５９からの押し込み通風機駆動用モータ５３ａ，５３ｂの回転数指令６９ａ，６９ｂに基づいてインバータ出力指令７０ａ，７０ｂを出力し、インバータ６４ａ，６４ｂを制御する。これにより、押し込み通風機駆動用モータ５３ａ，５３ｂの回転数をボイラ自動制御装置５９からの回転数指令信号６９ａ、６９ｂに一致するように制御する。
【００１９】
図３は、ボイラ自動制御装置の詳細を説明する図である。まず、通常の運転時（押し込み通風機５２ａ，５２ｂが共にインバータにより運転されていて、かつ押し込み通風機５２ａ，５２ｂ近傍に備えたベーン５４ａ，５４ｂの開度、および押し込み通風機駆動用モータ５３ａ，５３ｂの回転数が自動制御されているとき）について説明する。
【００２０】
この場合、空気流量検出器５５ａ，５５ｂから出力される空気流量信号６７ａ，６７ｂの平均値である空気流量１及び空気流量指令２４を減算器２により演算処理し、空気流量偏差信号２０１を算出する。次いで、空気流量偏差信号２０１を比例積分器３により比例積分演算を行い、空気流量制御信号２０２を生成する。空気流量制御信号はＡ系及びＢ系の制御に用いられるが、以後の処理はＡ系及びＢ系とも同様であるため、図３ではＡ系の制御回路についてのみ説明する。
【００２１】
空気流量制御信号２０２とベーン５４ａの開度を補償するベーン開度補償信号２０３は加算器により加算されて最終的なベーン開度指令７１ａとなり、この信号によりベーン５４ａの開度調節を行う。
【００２２】
一方、空気流量指令２４をもとに関数発生器２５により生成した押し込み通風機５２ａの回転数指令信号２０４は、信号切替器２７、信号切替器２８及び変化率制限器２９を介して、押し込み通風機５２ａの回転数指令信号６９ａとしてインバータ制御装置６０に出力する。次いでインバータ制御装置６０により制御演算を行った後、インバータ出力指令７０ａとしてインバータ６４ａの出力を制御する。これにより、押し込み通風機５２ａの駆動用モータ５３ａの回転数をボイラ自動制御装置５９からの回転数指令６９ａに一致するように制御する。
【００２３】
なお、信号切替器２７は、押し込み通風機５２ａ，５２ｂを駆動する駆動用モータ５３ａ，５３ｂがともに運転されている場合、すなわちＡ系及びＢ系がともに運転しているときに使用する関数発生器２５と、片系運転の場合、例えばＡ系のみを運転している場合に使用する関す発生器２６の出力を切り替えて使用する。また、信号切替器２８は、駆動用モータをインバータでより運転しているときは信号２０６を選択し、主電源６１で運転しているときは信号２０７側に切り替える。これにより、主電源で運転しているときは１００％回転数となるように設定される。
【００２４】
次に、押し込み通風機５２ａのベーン開度補償信号２０３について説明する。押し込み通風機５２ａのベーン開度補償信号２０３は、ボイラ静特性に基づく開度プログラム信号である。信号切替器１５は、商用電源を用いインバータ６４ａを使用して押し込み通風機５２ａの駆動用モータ５３ａを駆動している場合は加算器１４の出力信号を、また商用電源である主電源６１により駆動用モータ５３ａを駆動している場合は信号切替器１０の出力信号を切り替えて出力する。
【００２５】
加算器１４は、信号切替器１３の出力信号と、信号切替器２３の出力信号を入力する。信号切替器１３は、インバータ６４ａ，６４ｂにより押し込み通風機５２ａ，５２ｂの駆動用モータ５３ａ，５３ｂを運転しているときは関数発生器１２の出力信号を、また片系運転の場合、例えばインバータ６４ａにより押し込み通風機５２ａの駆動用モータ５３ａを運転しているときは関数発生器１９の出力信号を切り替えて出力する。
【００２６】
関数発生器２０は、押し込み通風機駆動用モータの駆動用電源をインバータ側から商用電源である主電源に切り替える際の無電圧期間による自然降速に伴う押し込み空気量の低下を補償するための関数を発生する。信号切替器２３により関数発生器２０の出力信号２１２を選択すると、前記関数発生器の出力（開バイアス信号）によりベーン５４ａ，５４ｂを先行的に開かせることができる。なお、このバイアス信号は、駆動源の切り替えにより駆動用モータの回転数が自然降速する系のベーン５４ａの外に、駆動源の切替を行わない系のベーン５４ｂにも供給する。これにより空気流量の低下を有効に抑制することができる。
【００２７】
信号切替器１０は、主電源６１により直接駆動用モータ５３ａ，５３ｂを運転しているとき使用する関数発生器９の出力信号と、片系運転の場合、例えば駆動用モータ５３ａが直接電源６１により運転しているときに使用する関数発生器１１の出力信号を切り替える。
【００２８】
信号切替器１５により選択した信号２１７は、信号切替器１７および変化率制限器１８、加算器４を介して空気流量制御信号２０２に加算し、最終的なベーン開度指令７１ａとなる。
【００２９】
なお、押し込み通風機５２ａの停止時には、信号切替器１７は０％のベーン開度補償信号を選択する。また、変化率制限器１８は信号の急変を制限するものである。
【００３０】
また、比例積分演算器３のパラメータである制御ゲインは信号切替器８により選択する。例えば、Ａ系及びＢ系共に商用周波数電源による運転の場合あるいは一方が商用周波数電源による運転でもう一方が停止している状態の場合は信号発生器６の出力信号を選択する。また、Ａ系及びＢ系共にインバータによる運転の場合、あるいは一方がインバータによる運転でもう一方が停止している状態の場合は信号発生器７の出力信号を選択する。また、一方がインバータによる運転、もう一方が主電源６１による運転の場合には信号発生器７の出力信号を選択する。
【００３１】
図４は、押し込み通風機駆動用モータの駆動電源切り替え時の特性（インバータ運転から主電源運転への切り替え成功）を説明する図である。まず、時点ｔ０ないしｔ１において、Ａ系、Ｂ系ともにインバータ運転をしている、すなわち押し込み通風機５２ａ，５２ｂの駆動用モータ５３ａ，５３ｂの駆動電源は、主電源６１から遮断器６２ａ，６２ｂ、遮断器６３ａ，６３ｂ、インバータ６４ａ，６４ｂ、遮断器６５ａ，６５ｂを介して供給される。
【００３２】
時点ｔ１においてＢ系のインバータ６４ｂが故障した場合、遮断器６３ｂ，６５ｂを遮断し、時点ｔ２において遮断器６６ｂを投入する。これにより電源供給ラインはインバータ側から商用電源の主電源６１に切り替わる。この時、押し込み通風機５２ｂの駆動用モータ５３ｂの回転数、ベーン５４ｂの開度、及び節炭器出口酸素（Ｏ２）濃度検出信号１０２の関係を図４に示す。なお、酸素濃度の規定値には上限と下限があるが、図では特に問題となる酸素濃度下限（Ｏ２下限）のみを示す。
【００３３】
図に示すように、Ｂ系のインバータ６４ｂが故障してから商用電源への切り替え動作までは、回転数が自然に降速するので空気流量が低下する。この低下を抑制するため、本実施形態では両系のベーンに開バイアスを加える。主電源６１への切り替え後（ｔ２以降）は、回転数が１００％まで昇速する。このときベーン開度を適切に絞り込むことにより押し込み通風機を流れる空気流量の変化を小さくすることができる。これにより、節炭器出口酸素濃度１０２を規定値内に制御することができる。
【００３４】
図５は、押し込み通風機駆動用モータの駆動電源切り替え時の特性（インバータ運転から主電源運転への切り替え失敗）を説明する図である。まず時点ｔ０ないしｔ１において、Ａ系、Ｂ系ともにインバータ運転をしている、すなわち押し込み通風機５２ａ，５２ｂの駆動用モータ５３ａ，５３ｂの駆動電源は、主電源６１から遮断器６２ａ，６２ｂ、遮断器６３ａ，６３ｂ、インバータ６４ａ，６４ｂ、遮断器６５ａ，６５ｂを介して供給される。
【００３５】
時点ｔ１においてＢ系のインバータ６４ｂが故障した場合、遮断器６３ｂ，６５ｂを遮断し、時点ｔ２において遮断器６６ｂを投入する。時点ｔ２において駆動電源の切り替えに失敗するとランバック動作が開始される。
【００３６】
このとき、押し込み通風機５２ｂの駆動用モータ５３ｂは駆動電源が与えられないため徐々に減速する。一方、ボイラに供給する燃料の流量は流量指令が発電機出力指令に応じて決定されるため、ランバック動作開始時点（ｔ２）までは一定であり、ランバック動作開始時点以降、徐々に低下することになる。このため節炭器出口の酸素濃度検出信号１０２は下限値以下に低下し、燃焼の安定性が低下することになる。
【００３７】
図６は、燃料供給指令に減バイアスを加える処理を説明する図である。例えば、Ｂ系のインバータが故障した場合、Ｂ系インバータ故障信号１５１が出力し、この故障信号を限時動作タイマー１５４に入力する。限時動作タイマー１５４の動作時限は、Ｂ系のインバータが故障してから主電源６１への切り替えがなされるまでの時間に設定する。これにより主電源への切り替え失敗した後、限時動作タイマー１５４の出力がＡＮＤ回路１５５に入力することになる。また、押し込み通風機５２ｂがトリップするため、押し込み通風機５２ｂトリップ信号１５２が出力し、ＡＮＤ回路１５５に入力する。また、ランバック状態になると、ランバック動作信号１６２が出力し、ＡＮＤ回路１５５に入力する。これにより、ＡＮＤ回路１５５が信号を出力し、出力した信号がフリップフロップ回路１５６に入り、フリップフロップ回路１５６をセット状態にする。
【００３８】
また、前記フリップフロップ回路１５６のセット状態信号によりアナログスイッチ１５９がオンする。このとき、燃料流量指令１５７には関数発生器１５８により、減バイアスが加えられてアナログスイッチ１５９から出力する。これにより、燃料流量指令（ＦＲＤ）１５７に補償を施した、すなわち減バイアスを施した補償済みの燃料流量指令（ＦＲＤ’）１６３を得ることができる。
【００３９】
図７は、押し込み通風機駆動用モータの駆動電源切り替え時の特性（インバータ運転から主電源運転への切り替え失敗、燃料流量指令補償あり）を説明する図である。まず、時点ｔ０ないしｔ１において、Ａ系、Ｂ系ともにインバータ運転をしている、すなわち押し込み通風機５２ａ，５２ｂの駆動用モータ５３ａ，５３ｂの駆動電源は、主電源６１から遮断器６２ａ，６２ｂ、遮断器６３ａ，６３ｂ、インバータ６４ａ，６４ｂ、遮断器６５ａ，６５ｂを介して供給される。
【００４０】
時点ｔ１においてＢ系のインバータ６４ｂが故障した場合、遮断器６３ｂ，６５ｂを遮断し、時点ｔ２において遮断器６６ｂを投入する。時点ｔ２において駆動電源の切り替えに失敗するとランバック動作が開始される。
【００４１】
このとき、押し込み通風機５２ｂの駆動用モータ５３ｂは駆動電源が与えられないため徐々に減速する。一方、ボイラに供給する燃料流量指令ＦＲＤには前記補償が施され、補償済みの燃料流量指令（ＦＲＤ’）となる。これにより前記燃料指令（ＦＲＤ’）は急速に減少される。このため節炭器出口酸素濃度１０２の低下は抑制され、酸素濃度（Ｏ２）の低下は補償されて酸素濃度（Ｏ２’）となる。すなわち酸素濃度が下限値以下に低下して燃焼の安定性が低下することを防止することができる。
【００４２】
なお、ランバック動作が完了すると、図６におけるランバック完了信号１５３が出力してフリップフロップ回路１５６をリセットする。これによりアナログスイッチ１５９は燃料流量指令１５７を選択して出力する。
【００４３】
以上説明したように、本実施形態によれば、主電源電圧を所定周波数の交流電圧に変換するインバータあるいは前記主電源電圧の何れか一方を押し込み通風機を駆動するモータに供給する電源系統（駆動源）を複数（Ａ系、Ｂ系）備え、複数系ともにインバータ運転をしている場合において、一つの系のインバータが故障し、更に前記主電源への切り替えが失敗した場合、故障した系以外の系の押し込み通風機近傍に備えたベーンにも開バイアスを所定時間加えることができる。すなわち、駆動源の切り替えにより駆動用モータの回転数が自然降速する系のベーン５４ａの外に、駆動源の切替を行わない系のベーン５４ｂにも開バイアスを供給する。これにより空気流量の低下を有効に抑制することができる。
【００４４】
また、燃料流量指令に対して減バイアスを所定時間加えることができる。これにより、燃焼安定性上重要となる節炭器出口酸素濃度を規定値内に制御することができる。
【図面の簡単な説明】
【００４５】
【図１】ボイラ制御装置を説明する図である。
【図２】酸素濃度検出器の取付位置を説明する図である。
【図３】ボイラ自動制御装置の詳細を説明する図である。
【図４】押し込み通風機駆動用モータの駆動電源切り替え時の特性（インバータ運転から主電源運転への切り替え成功）を説明する図である。
【図５】押し込み通風機駆動用モータの駆動電源切り替え時の特性（インバータ運転から主電源運転への切り替え失敗）を説明する図である。
【図６】燃料供給指令に減バイアスを加える処理を説明する図である。
【図７】押し込み通風機駆動用モータの駆動電源切り替え時の特性（インバータ運転から主電源運転への切り替え失敗、燃料流量指令補償あり）を説明する図である。
【符号の説明】
【００４６】
１  空気流量
２  減算器
３  比例積分器
４  加算器
６  信号発信器
８  信号切替器
９  関数発生器
１８  変化率制限器
２４  空気流量指令
５２ａ，５２ｂ  押込通風機
５３ａ，５３ｂ  駆動用モータ
５４ａ，５４ｂ  ベーン
５５ａ，５５ｂ  空気流量検出器
５６ａ，５６ｂ  誘引通風機
５７ａ，５７ｂ  駆動用モータ
５８ａ，５８ｂ  ダンパ
５９  ボイラ自動制御装置
６０  インバータ制御装置
６１  主電源
６２ａ，６２ｂ  遮断器
６４ａ，６４ｂ  インバータ
６７ａ，６７ｂ  空気流量信号
６８  煙突
６９ａ，６９ｂ  回転数指令信号
７０ａ，７０ｂ  インバータ出力指令
７１ａ，７１ｂ  ベーン開度指令
１０１  酸素濃度検出器
１０２  酸素濃度検出信号
１５４  限時動作タイマ
１５６  フリップフロップ回路
１５７  燃料流量指令
１５９  アナログスイッチ
【図１】
2005106336.tif 000003
【図２】
2005106336.tif 000004
【図３】
2005106336.tif 000005
【図４】
2005106336.tif 000006
【図５】
2005106336.tif 000007
【図６】
2005106336.tif 000008
【図７】
2005106336.tif 000009